(57)【要約】【課題】手指の感覚が正常ではない身体障害者等でも、微妙な力加減ができ使い勝手のよい箸を提供する。【解決手段】箸本体３は竹材により形成する。竹材の表皮５側からの厚さが所定厚さになるように茎肉６を削るとともに、厚さ及び幅が基端部４から先端部７に向って、漸減するように形成する。基端部４の近傍に、前記茎肉６を抉り取って表皮５を残した弾性変形部８ａ，８ｂを、箸本体３の先端部７に向って併設する。一対の箸本体３，３は、表皮５側を外側に向け茎肉６側を内側に向けて、２箇所の弾性変形部８ａ，８ｂどうしを対向させるとともに、基端部４，４それぞれスペーサ２に固定して箸本体３，３間を所定間隔に保持する。２箇所の弾性変形部８ａ，８ｂのうち先端側の弾性変形部８ｂは、該箸本体３を挟む親指と人差し指により押圧される部位に略合致する位置に形成する。【選択図】図１
0003111633.tif 000002
【実用新案登録請求の範囲】
【請求項１】
竹材の表皮側を外側に向け茎肉側を内側に向けた一対の箸本体の基端部を、スペーサに固定して箸本体間を所定間隔に保持するとともに、該基端部の近傍に前記茎肉を抉り取って表皮の弾性により変形する弾性変形部を、前記箸本体の先端に向って２箇所併設し、該弾性変形部どうしを互いに対向させたことを特徴とする箸。
【請求項２】
前記弾性変形部のうちの箸本体の先端側のものの位置は、該箸本体を挟む親指と人差し指により押圧される部位に略合致させたことを特徴とする請求項１に記載の箸。
【請求項３】
前記スペーサに、親指と人差し指間の付け根部分に掛けて、前記箸を保持する保持部を形成したことを特徴とする請求項１又は請求項２に記載の箸。
【請求項４】
前記スペーサに、親指と人差し指間の付け根部分に跨って、前記箸を保持する保持部を形成したことを特徴とする請求項１又は請求項２に記載の箸。
【考案の詳細な説明】
【技術分野】
【０００１】
本考案は、容易にかつ確実に食物を掴み取ることができる箸に関するものである。
【背景技術】
【０００２】
実開平６−３６４６５号公報、登録実用新案第３０１７３３７号公報、特開平１１−３３２７２０号公報等により、一対の箸本体間を捩りバネやＵ字形のバネ部材により連結して、箸本体を親指と人差し指で押圧すると先端が閉じて食物を掴み、押圧力を解除するとバネ弾力により先端が開拡するようにした箸が開示されている。
【０００３】
しかしながら、上記公報等により開示された箸は、概ね捩りバネやＵ字形のバネ部材により連結された部分を支点にして開閉するものである。従って、箸本体は、食物に対して斜めに傾いた状態で接触して挟むから、特に固形物の場合には食物との接触面積が小さく確実に保持することが容易ではない場合がある。特に、手指の感覚が正常ではない身体障害者等では、微妙な力加減ができないため使い勝手がよくなかった。
【特許文献１】実開平６−３６４６５号公報
【特許文献２】登録実用新案第３０１７３３７号公報
【特許文献３】特開平１１−３３２７２０号公報
【考案の開示】
【考案が解決しようとする課題】
【０００４】
本考案は上記に鑑みてなされたもので、手指の感覚が正常ではない身体障害者等でも、微妙な力加減ができ使い勝手のよい箸を提供することを目的とするものである。
【課題を解決するための手段】
【０００５】
上記課題を解決するための請求項1に記載の箸は、竹材の表皮側を外側に向け茎肉側を内側に向けた一対の箸本体の基端部を、スペーサに固定して箸本体間を所定間隔に保持するとともに、該基端部の近傍に前記茎肉を抉り取って表皮の弾性により変形する弾性変形部を、前記箸本体の先端に向って２箇所併設し、該弾性変形部どうしを互いに対向させたことを特徴とする。
【０００６】
請求項２に記載の箸は、請求項１に記載の構成において、前記弾性変形部のうちの箸本体の先端側のものの位置は、該箸本体を挟む親指と人差し指により押圧される部位に略合致させたことを特徴とする。
【０００７】
請求項３に記載の箸は、請求項１又は請求項２に記載の構成において、前記スペーサに、親指と人差し指間の付け根部分に掛けて、前記箸を保持する保持部を形成したことを特徴とする。
【０００８】
請求項４に記載の箸は、請求項１又は請求項２に記載の構成において、前記スペーサに、親指と人差し指間の付け根部分に跨って、前記箸を保持する保持部を形成したことを特徴とする。
【考案の効果】
【０００９】
請求項１に記載した箸によれば、スペーサを介して固定した箸本体の基端部の近傍に、茎肉を抉り取って表皮の弾性により変形する弾性変形部を、箸本体の先端に向って２箇所併設し、該弾性変形部どうしを互いに対向させたから、食物を挟んだ後でさらに押圧力を強めると、２箇所で対向させた弾性変形部で撓んで、挟んだ食物の幅で一対の箸本体が略平行になる。このため、食物に対する箸本体の接触面積が増加して確実に保持することができる。また、併設した２箇所の弾性変形部どうしを対向させたから、手指の感覚が正常ではない身体障害者等でも、微妙な力加減が可能となり使い勝手がよくなる。
【００１０】
請求項２に記載の箸によれば、弾性変形部の箸本体の先端側のものの位置は、該箸本体を挟む親指と人差し指により押圧される部位に略合致させたから、微妙な力加減ができ使い勝手がよくなる。
【００１１】
請求項３に記載の箸によれば、スペーサに、親指と人差し指間の付け根部分に掛けて、箸を保持する保持部を形成したから、手指の感覚が正常ではない身体障害者等でも、箸本体を取り落としてしまうことがなく使い勝手がよくなる。
【実施例】
【００１２】
本考案の実施例を図１を参照して説明する。図１は係る箸１の斜視図である。箸１は、スペーサ２と一対の箸本体３，３とからなる。スペーサ２は、木製、合成樹脂製等のブロック状小片であり、箸本体３，３の基端部４，４を固定して該箸本体３，３間を所定間隔に保持するものである。
【００１３】
箸本体３は竹材により形成する。竹材の表皮５側からの厚さが所定厚さになるように茎肉６を削るとともに、厚さ及び幅が基端部４から先端部７に向って、漸減するように形成する。基端部４の近傍に、前記茎肉６を抉り取って、表皮５の弾力により変形する弾性変形部８ａ，８ｂを、箸本体３の先端部７に向って併設する。
【００１４】
そして、一対の箸本体３，３は、表皮５側を外側に向け茎肉６側を内側に向けて、２箇所の弾性変形部８ａ，８ｂどうしを対向させるとともに、基端部４，４それぞれスペーサ２に固定して箸本体３，３間を所定間隔に保持する。２箇所の弾性変形部８ａ，８ｂのうち先端側の弾性変形部８ｂは、該箸本体３を挟む親指と人差し指により押圧される部位に略合致する位置に形成する。また、箸本体３の先端部７の茎肉６には、複数の浅い溝９を刻設して食物を掴み易いようにする。
【００１５】
上記箸１は、箸本体３，３を親指と人差し指で挟んで押圧すると、先ず基端部４，４側の弾性変形部８ａ，８ａが撓んで食物ｆを掴む。食物ｆを挟んだ後でさらに押圧力を強めると、先端部７側の弾性変形部８ｂ，８ｂも撓んで、図２に示すように挟んだ食物ｆの幅で一対の箸本体が略平行になる。従って、食物ｆに対する箸本体３，３の接触面積が増加して確実に保持することができる。
【００１６】
また、併設した２箇所の弾性変形部８ａ，８ｂどうしを対向させ、先端部７側の弾性変形部８ｂ，８ｂが親指と人差し指で押圧されるようにしたから、手指の感覚が正常ではない身体障害者等でも、微妙な力加減が可能となり使い勝手がよくなる。
【００１７】
図３は変形実施例を示したもので、上記構成の箸１のスペーサ２に、親指と人差し指間の付け根部分に掛けて、箸１を保持する保持部１０を一体形成したものである。保持部１０は、スペーサ２に別体の部品を取り付けてもよい。
【００１８】
さらに、図４に示すようにスペーサ２に形成する保持部は、親指と人差し指間の付け根部分に跨がる形状の保持部１１であってもよい。この変形実施例の箸１は、スペーサ２に保持部１０又は１１を形成したから、手指の感覚が正常ではない身体障害者等でも、箸本体を取り落としてしまうことがなく使い勝手がよくなる。
その他、保持部は親指と人差し指間の付け根部分に跨がって、バネ弾力により挟持して箸を保持する形式のものであってもよい。
【図面の簡単な説明】
【００１９】
【図１】箸の斜視図である。
【図２】同、使用状態を示した箸の平面図である。
【図３】変形実施例を示した斜視図である。
【図４】別の変形実施例を示した要部の側面図である。
【符号の説明】
【００２０】
１  箸
２  スペーサ
３，３  箸本体
４，４  基端部
５  表皮
６  茎肉
７  先端部
８ａ，８ｂ  弾性変形部
１０，１１  保持部
【図１】
0003111633.tif 000003
【図２】
0003111633.tif 000004
【図３】
0003111633.tif 000005
【図４】
0003111633.tif 000006